【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
病原体耐性作用活性を有するタンパク質をコードするヌクレオチド配列を含むDNA構築物をそのゲノムの中に安定に組み込んで有するトランスジェニック植物であって、
該ヌクレオチド配列が、
(a) At1g15270 (配列番号: 69)、At1g09960 (配列番号: 61)、At1g18350 (配列番号: 23)、At3g53620 (配列番号: 43)、At1g07930 (配列番号: 65)、At2g37220 (配列番号: 71)、At4g10340 (配列番号: 81)、もしくはAt4g13940 (配列番号: 83)のヌクレオチド配列またはその補体、
(b) (a)のヌクレオチド配列と少なくとも90%の配列同一性を有するヌクレオチド配列、
(c) 配列番号: 70、配列番号: 62、配列番号: 24、配列番号: 44、配列番号: 66、配列番号: 72、配列番号: 82、または配列番号: 84のアミノ酸配列を含むポリペプチドをコードするヌクレオチド配列、および
(d) (c)のアミノ酸配列と少なくとも90%の配列同一性を有するポリペプチドをコードするヌクレオチド配列
からなる群より選択され、
該ヌクレオチド配列が、植物細胞におけるコード配列の発現を駆動するプロモーターに機能的に連結されている、
トランスジェニック植物。
【請求項２】
少なくとも一つの線虫に対して増大した耐性を有する、請求項1記載の植物。
【請求項３】
少なくとも一つの細菌に対して増大した耐性を有する、請求項1記載の植物。
【請求項４】
プロモーターが構成的プロモーターである、請求項1記載の植物。
【請求項５】
ナタネ、ダイズ、トウモロコシ、ヒマワリ、ワタ、ココア、ベニバナ、アブラヤシ、ココヤシ、アマ、ヒマおよびピーナッツ、トマト、ニンジン、レタス、マメ、アスパラガス、カリフラワー、コショウ、ビート、キャベツ、ナス、エンダイブ、ニラネギ、長キュウリ、メロン、エンドウ、ダイコン、根茎、ミニキュウリ(Beit alpha) 、カボチャ、スイカ、白タマネギ、チコリー、黄タマネギ、ブロッコリ、芽キャベツ、ネギ、セロリ、ノヂシャ、キュウリ、ウイキョウ、ウリ、パンプキン、スイートコーンおよびズッキーニからなる群より選択される、請求項1記載の植物。
【請求項６】
以下の段階を含む、増大した病原体耐性を有する植物を生産する方法：
(a) 配列番号: 70、配列番号: 62、配列番号: 24、配列番号: 44、配列番号: 66、配列番号: 72、配列番号: 82、または配列番号: 84のアミノ酸配列を含むNMRポリペプチドもしくはその変種をコードするヌクレオチド配列またはそれらをコードする配列に相補的であるヌクレオチド配列を含む少なくとも一つの植物形質転換ベクターを植物またはその細胞に導入する段階、ならびに
(b) 形質転換した植物または細胞を成長させて、少なくとも一つの病原体に対して増大した耐性を示すトランスジェニック植物を生産する段階。
【請求項７】
請求項6記載の方法によって得られる植物。
【請求項８】
請求項7記載の植物から得られる植物部分。
【請求項９】
請求項7記載の植物の形質転換種子。
【請求項１０】
NMR遺伝子の変化を有する植物を同定する段階、および該植物の後代を生成する段階を含む、増大した病原体耐性を有する植物を生産する方法であって、該後代が、増大した病原体耐性を有し、該NMR遺伝子が、At1g15270 (配列番号: 69)、At1g09960 (配列番号: 61)、At1g18350 (配列番号: 23)、At3g53620 (配列番号: 43)、At1g07930 (配列番号: 65)、At2g37220 (配列番号: 71)、At4g10340 (配列番号: 81)、またはAt4g13940 (配列番号: 83)のヌクレオチド配列を含む、方法。
【請求項１１】
TILLING法を使用して植物を同定する、請求項10記載の方法。
【請求項１２】
植物由来の少なくとも一つのNMR遺伝子を解析する段階、およびNMR遺伝子の変化を有する植物を同定する段階を含む、増大した病原体耐性を有する植物を同定する方法であって、該植物が、増大した病原体耐性を有する、方法。
【請求項１３】
植物が、増大した線虫耐性を有する、請求項10または12記載の方法。
【請求項１４】
NMR遺伝子の発現を変化させる、またはNMR遺伝子が変異を有する、請求項10または12記載の方法。
【請求項１５】
候補遺伝子／QTL法を使用して植物を同定する、請求項10または12記載の方法。
【手続補正２】
【補正対象書類名】明細書
【補正対象項目名】００１０
【補正方法】変更
【補正の内容】
【００１０】
増大した線虫耐性をはじめとする増大した病原体耐性を有する植物を生産する方法であって、NMR遺伝子の変化を有する植物を同定する段階、およびその植物の後代を生成する段階を含み、該後代が増大した病原体耐性を有し、該NMR遺伝子が、表3および4の4列目で同定された遺伝子である方法が提供される。また、増大した病原体耐性を有する植物を同定する方法であって、該植物由来の少なくとも一つのNMR遺伝子を解析する段階、および増大した病原体耐性を有する、NMR遺伝子の変化を有する植物を同定する段階を含む方法が提供される。本発明はさらに、本明細書に記載された方法によって得られる植物および植物部分を提供する。
[請求項101]
病原体耐性作用活性を有するタンパク質をコードするヌクレオチド配列を含むDNA構築物をそのゲノムの中に安定に組み込んで有するトランスジェニック植物であって、
該ヌクレオチド配列が、
(a) 表3および4の3列目で同定されたヌクレオチド配列またはその補体、
(b) 表3および4の3列目で同定されたヌクレオチド配列と少なくとも90%の配列同一性を有するヌクレオチド配列またはその補体、
(c) 表3および4の4列目で同定されたアミノ酸配列を含むポリペプチドをコードするヌクレオチド配列、および
(d) 表3および4の4列目で同定されたアミノ酸配列と少なくとも90%の配列同一性を有するポリペプチドをコードするヌクレオチド配列
からなる群より選択され、
該ヌクレオチド配列が、植物細胞におけるコード配列の発現を駆動するプロモーターに機能的に連結されている、
トランスジェニック植物。
[請求項102]
少なくとも一つの線虫に対して増大した耐性を有する、請求項101記載の植物。
[請求項103]
少なくとも一つの細菌に対して増大した耐性を有する、請求項101記載の植物。
[請求項104]
プロモーターが構成的プロモーターである、請求項101記載の植物。
[請求項105]
ナタネ、ダイズ、トウモロコシ、ヒマワリ、ワタ、ココア、ベニバナ、アブラヤシ、ココヤシ、アマ、ヒマおよびピーナッツ、トマト、ニンジン、レタス、マメ、アスパラガス、カリフラワー、コショウ、ビート、キャベツ、ナス、エンダイブ、ニラネギ、長キュウリ、メロン、エンドウ、ダイコン、根茎、ミニキュウリ(Beit alpha) 、カボチャ、スイカ、白タマネギ、チコリー、黄タマネギ、ブロッコリ、芽キャベツ、ネギ、セロリ、ノヂシャ、キュウリ、ウイキョウ、ウリ、パンプキン、スイートコーンおよびズッキーニからなる群より選択される、請求項101記載の植物。
[請求項106]
以下の段階を含む、増大した病原体耐性を有する植物を生産する方法:
(a) 表3および4の4列目で同定されたNMRポリペプチドもしくはその変種をコードするヌクレオチド配列またはそれらをコードする配列に相補的であるヌクレオチド配列を含む少なくとも一つの植物形質転換ベクターを植物またはその細胞に導入する段階、ならびに
(b) 形質転換した植物または細胞を成長させて、少なくとも一つの病原体に対して増大した耐性を示すトランスジェニック植物を生産する段階。
[請求項107]
請求項106記載の方法によって得られる植物。
[請求項108]
請求項107記載の植物から得られる植物部分。
[請求項109]
請求項107記載の植物の形質転換種子。
[請求項110]
NMR遺伝子の変化を有する植物を同定する段階、および該植物の後代を生成する段階を含む、増大した病原体耐性を有する植物を生産する方法であって、該後代が、増大した病原体耐性を有し、該NMR遺伝子が、表3および4の4列目で同定された遺伝子である、方法。
[請求項111]
植物が、増大した線虫耐性を有する、請求項110記載の方法。
[請求項112]
NMR遺伝子の発現を変化させる、請求項110記載の方法。
[請求項113]
NMR遺伝子が変異を有する、請求項110記載の方法。
[請求項114]
候補遺伝子/QTL法を使用して植物を同定する、請求項110記載の方法。
[請求項115]
TILLING法を使用して植物を同定する、請求項110記載の方法。
[請求項116]
植物由来の少なくとも一つのNMR遺伝子を解析する段階、およびNMR遺伝子の変化を有する植物を同定する段階を含む、増大した病原体耐性を有する植物を同定する方法であって、該植物が、増大した病原体耐性を有する、方法。
[請求項117]
植物が、増大した線虫耐性を有する、請求項116記載の方法。
[請求項118]
NMR遺伝子の発現を変化させる、請求項116記載の方法。
[請求項119]
NMR遺伝子が変異を有する、請求項116記載の方法。
[請求項120]
候補遺伝子/QTL法を使用して植物を同定する、請求項116記載の方法。